(57)【要約】【課題】  加工サイズの一層の小型化と製造工程の簡略化とによるコストの軽減が可能な装身具用止め金具を提供すること。【解決手段】  断面が四角形でトンネル状の主部１０の一端部に開口した受入口１０ａを有する雌金具１と、前記受入口１０ａから前記主部１０内へ係脱可能に挿入される雄金具２とを具備し、前記雄金具２は所定幅の帯板金を横Ｖ字状ないし横Ｕ字状に折り曲げて成形した水平な下辺板２０と先上り傾斜した上辺板２１とから構成され、前記雌金具１は一枚の板金により構成され、当該雌金具１の主部１０の上面板を除く一辺面板は長さ方向に連続する互いに接触した境界部１ａを介して分離していることを特徴としている。【選択図】      図１
2006341030.tif 000002
【特許請求の範囲】
【請求項１】
断面が四角形でトンネル状の主部（１０）の一端部に開口した受入口（１０ａ）を有する雌金具（１）と、前記受入口（１０ａ）から前記主部（１０）内へ係脱可能に挿入される雄金具（２）とを具備し、
前記雄金具（２）は所定幅の帯板金を横Ｖ字状ないし横Ｕ字状に折り曲げて成形した水平な下辺板（２０）と先上り傾斜した上辺板（２１）とから構成され、
前記雌金具（１）は一枚の板金により構成され、当該雌金具（１）の主部（１０）の上面板を除く一辺面板は長さ方向に連続する互いに接触した境界部（１ａ）を介して分離していることを特徴とする、
装身具用止め金具。
【請求項２】
前記境界部（１ａ）は前記主部（１０）の底面板（１１）に形成されている、請求項１に記載の装身具用止め金具。
【請求項３】
前記雌金具（１）の主部（１０）の上面板には前記受入口（１０ａ）側の端部に下方へ曲げ加工された係止部（１２）を形成し、前記雄金具（２）の上辺板（２１）の先端部をもって前記係止部（１２）へ係止される係止片（２２）を構成し、前記上辺板（２１）へ当該上辺板（２１）を押し下げ操作する操作片（２４）を形成することにより、前記雌金具（１）の主部（１０）と雄金具（２）とを係脱可能とした、請求項１又は２に記載の装身具用止め金具。
【請求項４】
前記雌金具（１）の主部（１０）の上面板には、前記受入口（１０ａ）の上部中央へ長さ方向に沿うガイドスリット（１３ａ）を介して連続しかつ当該ガイドスリット（１３ａ）の幅よりも大径の孔からかる係止部（１３）を形成し、前記雄金具（２）の上辺板（２１）の上面には前記係止部（１３）からやや上方へ突出して係止される係止片（２３）を形成し、当該係止片（２３）の上に前記ガイドスリット（１３ａ）の幅よりも小径であって前記上辺板（２１）を押し下げ操作する操作片（２４）を形成することにより、前記雌金具（１）の主部（１０）と雄金具（２）とを係脱可能とした、請求項１又は２に記載の装身具用止め金具。
【請求項５】
前記雌金具（１）の主部（１０）の上面板には前記受入口（１０ａ）から所定量離れた位置に孔からかる係止部（１３）を形成し、前記雄金具（２）の上辺板（２１）の上面には前記係止部（１３）からやや上方へ突出して係止される係止片（２３）を形成し、前記上辺板（２１）の先端部へ起立するように当該上辺板（２１）を押し下げ操作する操作片（２４）を形成することにより、前記雌金具（１）の主部（１０）と雄金具（２）とを係脱可能とした、請求項１又は２に記載の装身具用止め金具。
【請求項６】
前記雌金具（１）の主部（１０）の側部及び前記雄金具（２）の下辺板（２０）の側部の中の一方には、先端部へフック部（３ａ）を有する補助止め金（３）を垂直方向へ回動自在に軸承させるとともに、他方には前記補助止め金（３）のフック部（３ａ）を引っ掛けて係止する係止突起（３１）を設けた、請求項２〜５のいずれかに記載の装身具用止め金具。
【発明の詳細な説明】
【技術分野】
【０００１】
本発明は、鎖その他の紐状装身具の両端部を連結してブレスレットやネックレス等を構成するための装身具用止め金具に関するものである。
【背景技術】
【０００２】
鎖その他の紐状装身具は、金，プラチナその他の貴金属やそれらの合金を基材としているので、重量単位の価格の面から一般には構成要素が細くて軽量なものが賞用される傾向にある。
そして、紐状の装身具の止め金具は、一般に主体である紐状装身具と同じ材質ないし主体と近似した材質であることによる材料価格の面と、細い主体との相対的関係で目立たないようにする必要等から、できるだけ加工費が廉価でかつ小型であることが要請される。
【０００３】
ところで、従来のこの種の装身具用止め金具には図９で示すようなものが使用されている（特許文献１）。
図９（ａ）は分解斜視図であり、（ｂ）は組立て状態の断面図である。
５は一端部に開口した受入口５０を有する函状の雌金具、６は前記受入口５０から雌金具５へ挿入できるように所定幅の帯板金を横Ｖ字状に折り曲げ加工した雄金具である。
雌金具５の上面板には受入口５０の中央部へ垂下するように突出する係止片５２が形成され、雌金具５の底面板５１は、雄金具６を挿入するときのガイドとするため受入口５０側に突出している。
雄金具６は、前記のような折り曲げ加工による下辺板６０とそれよりも短く先上り傾斜した上辺板６１とからなり、下辺板６０の端部には垂直板６２が一体に形成されている。上辺板６１には、中央部に長さ方向に沿って係止孔６３，６３が順に形成されているとともに、先端部には押し下げ用の操作片６４が起立するように形成されている。
雄金具６の垂直板６２の両側端には縦方向に軸受部６５，６５がロウ付けされており、これらの各軸受部６５には金属線をほぼＶ字状に曲げた補助止め金６６がそれぞれ水平方向へ回動するように軸承され、他方、前記雌金具５の両側部にはそれぞれ対応する補助止め金６６の先端部が係止されるように係止突起５３，５３がロウ付けされている。
【０００４】
上記止め金具は、雌金具５の後端部に図示しない紐状装身具の一端部をロウ付けし、雄金具６の垂直板６２に紐状装身具の他端部をロウ付けする。この状態で操作片６４を指で操作することにより雄金具６の上辺板６１を押し下げ、（ｂ）図のように雌金具５の奥まで雄金具６を挿入すると、雌金具５の係止片５２が前記上辺板６１の先端部の係止孔６３に係止されることにより紐状装身具の両端が連結され、例えば環状のブレスレットが構成される。
雄金具６の各補助止め金６６，６６を雌金具５の対応する係止突起５３へ係止することにより、上辺板６１に下降方向への外力が加わって係止片５２が係止孔６３から外れても紐状装身具は連結されてブレスレットの状態を保つようになっている。
各補助止め金６６，６６を側方へ回動させて対応する係止突起５３から外すとともに、操作片６４により雄金具６の上辺板６１を押し下げて係止片５２を係止孔６３から外すと雌雄両金具５，６の係止状態が解除されるので、この状態で両金具５，６を引き離すと両者は離脱する。
上記従来の止め金具によれば、特に雌金具５はその構造上ダイキャストにより鋳造するか、あるいはプレス成形した場合でも両側板をそれぞれ底面板５１の両側にロウ付けする必要があり、かつ、雄金具６も構造が複雑であるため、金具全体がコスト高になる。また、雌金具５の鋳造ないし前記ロウ付け工程により、雌金具５を小型に（特に幅を小さく）加工するには限界があり、細い紐状装身具の止め金具としては加工サイズや材料費及び製造工程の面で問題があった。
【特許文献１】実開昭６１−１８７５１７号公報（実公平２−２６３２９号公報）
【発明の開示】
【発明が解決しようとする課題】
【０００５】
本発明の解決課題は、加工サイズの一層の小型化と製造工程の簡略化とによるコストの軽減にある。
したがってその目的とするところは、上記止め金具を含む従来の止め金具と比べて、より小型（幅狭）でしかも製造工程上より廉価に提供することができる装身具用止め金具を提供することにある。
【課題を解決するための手段】
【０００６】
本発明に係る装身具用止め金具は、前記課題を解決するため、断面が四角形でトンネル状の主部１０の一端部に開口した受入口１０ａを有する雌金具１と、前記受入口１０ａから前記主部１０内へ係脱可能に挿入される雄金具２とを具備し、前記雄金具２は所定幅の帯板金を横Ｖ字状ないし横Ｕ字状に折り曲げて成形した水平な下辺板２０と先上り傾斜した上辺板２１とから構成され、前記雌金具１は一枚の板金により構成され、当該雌金具１の主部１０の上面板を除く一辺面板は長さ方向に連続する互いに接触した境界部１ａを介して分離していることを最も主用な特徴としている。
【発明の効果】
【０００７】
本発明に係る装身具用止め金具によれば、雌金具及び雄金具の主体部分はその構成上プレス加工のみによって製造することができる。特に雌金具は、その主部の断面が四角形でトンネル状に形成され、上面板を除く一辺面板のほぼ中央部が長さ方向に連続する直線状の互いに接触した境界部を介して分離している状態であるため、板金をプレス加工で所定形状に裁断し、裁断した板金をプレス加工で設計形状に加工することにより、より小型にかつより廉価なコストで製造することができる。
このように、雌金具をプレス加工することにより、金具全体を幅狭くより小型に製造することができるほか、材料費と製造コストの面でより廉価で提供することができる。
【発明を実施するための最良の形態】
【０００８】
図１〜図８を参照しながら、本発明に係る装身具用止め金具の好適実施の形態を具体的に説明する。
第１実施形態
図１〜図３は装身具用止め金具の第１実施形態を示す図で、図１はその分解斜視図、図２は雌金具の展開斜視図、図３は組立状態の断面図である。
【０００９】
止め金具は雌金具１と雄金具２とから構成されており、それらは図示されていない紐状装身具（駒等の基材に固定された石等を除く）と同じか又は類似の材質である。
雌金具１は断面が四角形でトンネル状の主部１０を具備し、当該主部１０の一端部には開口された受入部１０ａが形成されている。主部１０の底面板１１は、その一端部が長さ方向に延出して導入ガイド１１ｂを形成しており、その他端部が長さ方向に延出して図示されていない紐状装身具の一端部がロウ付けされる取付部１１ａを形成している。
主部１０の一片面板である底面板１１は、幅方向の中央部で長さ方向に連続する直線状の互いに接触（当接）する境界部１ａを介して分離している。この実施形態では、境界部１ａは底面板１１の長さ方向と平行する直線状であるが、長さ方向に連続していて互いに接触していれば曲線状であってもあるいは傾斜線状あっても差し支えない。
【００１０】
主部１０の上面板の両側部には、受入口１０ａ両側上部を遮蔽するように垂直に曲げ加工された下向きで鉤状の第１の係止部１２が一体に形成されている。
上面板にはさらに、長さ方向に沿うガイドスリット１３ａを介して受入口１０ａの上辺中央部と連続するように、前記ガイドスリット１３ａの幅よりも直径が大きい孔状の第２の係止部１３が形成されている。
【００１１】
前記雌金具１は上記のように構成されているから、素材板金をプレスにより打ち抜いて図２の展開図のような一枚の板金ａを加工し、次いでプレスにより各点線に沿って図１の雌金具１の形状となるように曲げ加工して製造することができる。
板金ａは、上面板，両側面板を含む主部形成部ｂの両側部に長さ方向に沿って底面板を構成する底面板形成部ｃ，ｃを有し、上面板相当部の対応する端部に前記第１の係止部１２，１２及びガイドスリット１３ａと第２の係止部１３がそれぞれ形成されている。
【００１２】
雄金具２は、雌金具１の主部１０の内幅よりもやや狭い幅の弾性を有する帯板金を、横Ｖ字状ないし横Ｕ字状に折り曲げて成形した水平な下辺板２０と先上り傾斜した上辺板２１とから構成され、下辺板２０の一端部は長さ方向に延出して紐状装身具の他端部がロウ付けされる取付部２０ａを形成している。
上辺板２１の先端部は、前記第１の係止部１２と対応する（図３）第１の係止片２２を構成しており、上辺板２１の上面には、前記第２の係止部１３と対応するように垂直で突起状の第２の係止片２３がロウ付けにより取り付けられている。第２の係止片２３は短い円柱状であり、その直径は前記第２の係止部１３の直径よりもやや小さくかつガイドスリット１３ａの幅よりも大きく形成されている。
第２の係止片２３の上端部には、前記ガイドスリット１３ａの幅よりもやや小さな直径を有する押し下げ用の操作片２４が垂直に形成されており、当該操作片２４の上端部は人の指が接触し易いように鍔状に拡大した指受片２４ａが形成されている。
【００１３】
第１実施形態の止め金具は、鎖その他の紐状装身具の一端を一方の取付部１１ａとロウ付けするとともに他端を他方の取付部２０ａとロウ付けにより連結する。紐状装身具の一端を取付部１１ａへロウ付け連結することにより、取付部１１ａの部分で底面板１１の境界部１ａは同時に部分的にロウ付けされる。この状態で操作片２４を操作して上辺板２１を指で押え、雄金具２の上辺板２１を必要量押し下げた状態で雌金具１の主部１０へ受入口１０ａより雄金具２を停止するまで挿入する。
操作片２４から指を離すと雄金具２の上辺板２１がその弾性により浮上し、第１の係止片２２が第１の係止部１２へ引っ掛り、第２の係止片２３が孔状の第２の係止部１３に突入して引っ掛るので、両金具１，２は抜け止めされた係止状態となるので、紐状装身具はブレスレットやネックレスを構成すべく環状に連結される。
操作片２４により指で雄金具２の上辺板２１を必要量押し下げた状態で両金具１，２を引き離すと、各係止部１２，１３から対応する係止片２２，２３がそれぞれ下方に外れ、両金具１，２の係止状態は解除されるので両金具１，２を引き離すと雄金具２が雌金具１から脱出する。
【００１４】
第１実施形態の装身具用止め金具によれば、雄雌両金具１，２とも一枚の板金をプレス成形することによってそれらの主体部分を加工することができるから、全体を細く、すなわち幅を狭く製造することができる。したがってまた、製造工程が簡略になることと、使用材料が小量で済むことから、金具をより低コストで製造することができる。
実験によれば、前記従来の止め金具は、雌金具をその幅が３ｍｍ以下になるように加工する（鋳造及びプレス加工とも）ことは困難であったが、前記実施形態の止め金具は雌金具１をその幅が２ｍｍ以下になるように加工することができた。
また、孔状の係止部１３は雌金具１のトンネル状の主部１０の上面板に形成したので、側面板の厚み部分を除く上面板の幅いっぱいにわたる径の係止部１３を形成しても強度上問題がなく、この点からも雌金具１の幅を一層小さくすることが可能となる。
【００１５】
第２実施形態
図４及び図５は装身具用止め金具の第２実施形態を示す図で、図４はその分解斜視図、図５は組立状態の断面図である。
雌金具１及び雄金具２の主用部分は、第１実施形態における止め金具と同様に構成されているので、第１実施形態と同じ部分は説明を省略し異なる部分についてのみ以下説明する。
雌金具１の主部１０の上面板には、円形の孔からなる係止部１３が形成されている。
他方、雄金具２の上辺板２１の先端部には起立状に押し下げ用の操作片２４が一体に形成され、当該操作片２４の頂部には鍔状に拡大した指受片２４ａが形成されている。当該上辺板２１には、前記係止部１３と対応して当該係止部１３の直径よりも直径が小さい円柱状の低い係止片２３がロウ付けされている。
この止め金具は、操作片２４介して雄金具２の上辺板２１を必要量押し下げ、雄金具２を雌金具１の主部１０へ停止するまで挿入し、操作片２４から指を離すと図５のように係止片２３が係止部１３へ突入して両金具１，２が係止状態となるので、雌金具１へ雄金具２が挿入状に連結される。雌金具１と雄金具２とを引き離すには、雄金具２を連結の操作の場合とは逆に操作して両金具１，２の係止状態を解除する。
この実施形態では、第１の係止部や第１の係止片は設けられていない。
この実施形態の止め金具の製造方法や他の作用効果は、第１実施形態の止め金具と同様であるからそれらの説明は省略する。
【００１６】
第３実施形態
図６及び図７は装身具用止め金具の第３実施形態を示す図で、図６はその分正面図、図７は平面図である。
この実施形態の止め金具は、第２実施形態の止め金具に補助係止手段をとり付けた形態である。すなわち、雄金具２の下辺板２０の一側部には、雌金具１の主部１０への挿入部分から後方へ外れた位置にピン３０をロウ付けし、このピン３０へ先端にフック部３ａを有する補助止め金３を垂直方向へ回動（揺動）可能に軸承している。他方、雌金具１の主部１０の一側部には、前記補助止め金３のフック部３ａと対応する位置に係止突起３１をロウ付けしている。
各図のように、雄金具２を雌金具１の主部１０へ挿入して係止した状態で、補助止め金３のフック部３ａを係止突起３１に引っ掛けて止め、雄金具２の係止片２３が何等かの事情で雌金具１の係止部１３から外れたときでも、両金具１，２の連結状態からの離脱を防止するように構成されている。
なお、符号３ｂは補助止め金３を操作し易くするための操作片である。
補助係止手段は、止め金具全体をより小型に製造するため前記実施形態のように構成するのが望ましいが、図９（ａ）の従来の形態のように構成することもできる。
【００１７】
その他の実施形態
図６及び図７図で示す補助係止手段は、他の実施形態の止め金具に対しても設けることができる。
前記各実施形態において、雌金具１のトンネル状の主部１０は、図８で示すようにその上面板が取付部１１ａの方向へ下り傾斜する状態に形成されていても実施することができる。また、各実施形態においては、主部１０の取付部１１ａ側は図８で示すように主部１０と一体な遮蔽板１０ｂで塞がれていても差し支えない。
【図面の簡単な説明】
【００１８】
【図１】本発明に係る装身具用止め金具の第１実施形態を示す分解斜視図である。
【図２】図１の止め金具における雌金具の展開斜視図である。
【図３】図１の止め金具の組立状態の断面図である。
【図４】本発明に係る装身具用止め金具の第２実施形態を示す分解斜視図である。
【図５】図４の止め金具の組立状態の断面図である。
【図６】本発明に係る装身具用止め金具の第３実施形態を示す正面図である。
【図７】図６の止め金具の平面図である。
【図８】雌金具の変形形態を示す斜視図である。
【図９】実開昭６１−１８７５１７号公報に記載されている装身具用止め金具が示されており、（ａ）図はその分解斜視図、（ｂ）図はその組立状態の断面図である。
【符号の説明】
【００１９】
１  雌金具
１ａ  境界部
１０  主部
１０ａ  受入口
１１  底面板
１１ａ  取付部
１２，１３  係止部
２  雄金具
２０  下辺板
２０ａ  取付部
２１  上辺板
２２，２３係止片
２４  操作片
２４ａ  指受片
３  補助止め金
３０  ピン
３ａ  フック部
３ｂ  操作片
４  係止突起
【図１】
2006341030.tif 000003
【図２】
2006341030.tif 000004
【図３】
2006341030.tif 000005
【図４】
2006341030.tif 000006
【図５】
2006341030.tif 000007
【図６】
2006341030.tif 000008
【図７】
2006341030.tif 000009
【図８】
2006341030.tif 000010
【図９】
2006341030.tif 000011